(57)【要約】【課題】  送受信モジュールをケージに抜き差しすることができなくなることを防止する、送受信モジュールを提供する。【解決手段】送受信モジュールは、相手部材に抜き差しできるとともに、固定をするために相手部材と嵌合する嵌合部を有する送受信モジュールであって、前記送受信モジュールの筐体は、上部筐体と下部筐体を組み合わせた構成であり、前記筐体の幅を、前記嵌合部より先端側では、後側の幅より狭くした構成とした。【選択図】  図４
2019067713.tif 000002
【特許請求の範囲】
【請求項１】
相手部材に抜き差しできるとともに、固定をするために相手部材と嵌合する嵌合部を有する送受信モジュールであって、前記送受信モジュールの筐体は、上部筐体と下部筐体を組み合わせた構成であり、前記筐体の幅を、前記嵌合部より先端側では、後側の幅より狭くしたことを特徴とする送受信モジュール。
【請求項２】
請求項１に記載の送受信モジュールにおいて、上部筐体と下部筐体の幅が異なっており、前記上部筐体と前記下部筐体を嵌め合わせることで前記送受信モジュールを形成し、前記上部筐体と前記下部筐体のうち狭い方の筐体で先端側を構成したことを特徴とする送受信モジュール。
【請求項３】
請求項２に記載の送受信モジュールにおいて、前記上部筐体の幅が前記下部筐体の幅より狭いことを特徴とする送受信モジュール。
【請求項４】
請求項２に記載の送受信モジュールにおいて、前記下部筐体の幅が前記上部筐体の幅より狭いことを特徴とする送受信モジュール。
【請求項５】
請求項２に記載の送受信モジュールにおいて、一方の筐体は、差し込む方向に向かって幅が狭くなるテーパを有することを特徴とする送受信モジュール。
【請求項６】
請求項２に記載の送受信モジュールにおいて、前記先端側を構成する一方の筐体は、先端嵌合部において他方の筐体に嵌め込まれていることを特徴とする送受信モジュール。
【請求項７】
請求項６に記載の送受信モジュールにおいて、前記一方の筐体は、前記先端嵌合部より後ろ側も前記他方の筐体の幅よりも狭くしたことを特徴とする送受信モジュール。
【発明の詳細な説明】
【技術分野】
【０００１】
本発明は、情報通信機器における大容量信号伝送を可能にする送受信モジュールに関する。
【背景技術】
【０００２】
従来、送受信モジュールは、情報通信機器側の基板（例えば、マザーボード）上に設置されたケージに、脱着可能に差し込むと、ケージ内の電気インターフェースコネクタに対して電気的、機械的に接続される。これによりボード間またはラック間の信号伝送が可能になる。
【０００３】
送受信モジュールは、特許文献１に記載されているように、動作中に情報通信機器側のケージから外れると通信が中断したり、通信機器やモジュール自体が故障するおそれがある。このような事故を防止するために、ラッチ機構（またはロック機構ともいう）によってモジュールをケージに対してしっかりと止める構成としている。また、送受信モジュールをケージから抜き取る際は、モジュールに取り付けられたプルタブを引張ることで上述のラッチ機構を解放し、ケージ等の相手部材から送受信モジュールを取り外す構成としている。また、その筐体は上部筐体および下部筐体より構成され、これら上部筐体と下部筐体を結合した構成である。
【先行技術文献】
【特許文献】
【０００４】
【特許文献１】特開２０１６−１９７５２２号公報
【発明の概要】
【発明が解決しようとする課題】
【０００５】
しかしながら、特許文献１に記載された送受信モジュールでは、別々の部品を組み合わせるため、それぞれの部品の製造上の公差により上部筺体と下部筺体の幅に差が生じる。上部筺体の幅が下部筺体の幅より大きい場合には、上部筺体側面が下部筺体側面より突出する突出部を有することとなる。この時、送受信モジュールをケージ等の相手部材から抜き取ろうとすると、送受信モジュール側面方向へのラッチ機構を構成する、相手部材に設けた凸部が、この突出部と接触することとなり、送受信モジュールを相手部材から抜き差しすることが出来なくなる恐れがある。
【０００６】
本発明の目的は、相手部材に対して、容易に抜き差し可能な、送受信モジュールを提供することにある。
【課題を解決するための手段】
【０００７】
上記目的を達成するために、本発明の好ましい一例としては、相手部材に抜き差しできるとともに、固定をするために相手部材と嵌合する嵌合部を有する送受信モジュールであって、前記送受信モジュールの筐体は、上部筐体と下部筐体を組み合わせた構成であり、前記筐体の幅を、前記嵌合部より先端側では、後側の幅より狭くしたことにある。
【発明の効果】
【０００８】
本発明により、相手部材に対して、容易に抜き差し可能な、送受信モジュールを得ることができる。
【図面の簡単な説明】
【０００９】
【図１】実施例１における送受信モジュールとケージとの関係を説明する斜視図である。
【図２】ケージに送信モジュールを挿入した際のケージの側面部の拡大図である。
【図３】実施例１における送受信モジュールの展開図である。
【図４】実施例１における送受信モジュールの斜視図を示す図である。
【図５】実施例１における送受信モジュールの上面図である。
【図６】実施例１における送受信モジュールのケージからの抜き取りの動作を説明する図である。
【図７】実施例２における送受信モジュールの斜視図を示す図である。
【図８】実施例２における送受信モジュールの上面図を示す図である。
【発明を実施するための形態】
【００１０】
以下、図面を用いて本発明の実施例を説明する。
【実施例１】
【００１１】
本発明の実施例１を図１から図６を用いて説明する。図１は、実施例１における送受信モジュールとケージと情報通信装置内ホスト基板とを説明する斜視図、図２は、ケージに送信モジュールを挿入した際のケージの側面部の拡大図、図３は、実施例１における送受信モジュールの展開図、図４は、送受信モジュールの斜視図と、送受信モジュールの側面の一部を拡大した図、図５は、送受信モジュールの上面図、図６は、送受信モジュールのケージからの抜き取りの動作を説明する図である。
【００１２】
まず、実施例１の送受信モジュール構成について、図１から図５を用いて説明する。送受信モジュール１０は、図示はしないが情報通信装置のフロントパネルの内部に配置されたケージ２０１に挿抜されて利用される。ケージ２０１は情報通信装置内ホスト基板２０に固定されており、図示しないがケージ２０１の上には送受信モジュール１０の冷却用のヒートシンクが配置されている。
【００１３】
送受信モジュール１０の筺体は上部筺体１０１と下部筺体１０２から構成されており、図示はしないがこれら筺体内に電子回路、光素子等が搭載された電気配線用基板１１０および伝送ケーブル１４０が内包されている。ここで、送受信モジュール１０の筺体の両側面には、アクチュエータ１３０が配置されており、アクチュエータ１３０の端には、プルタブ１２０が配置されており、ユーザーが送受信モジュール１０の挿抜を行う際にプルタブ１２０を把持し、挿抜が行われる。
【００１４】
ケージ２０１に送受信モジュール１０が挿入されたとき、ケージ２０１側面から出ている送受信モジュール１０側面方向への凸部２０２が、図４の送受信モジュール１０の筺体側面の１０１a、１０２aと嵌合（ラッチ）する。これにより、送受信モジュール１０がケージ２０１から外れることを防止している。送受信モジュール１０をケージ２０１から抜き取る時は、前述のプルタブ１２０を引張ることにより、プルタブ１２０に接続されたアクチュエータ１３０が引張り方向に可動し、前述の送受信モジュール１０側面方向への凸部２０２を押し上げ、筺体側面の凹部（１０１a、１０２a）との嵌合（ラッチ）を解除する機構となっている。
【００１５】
送受信モジュール１０の筺体は、上部筺体１０１と下部筺体１０２は、その先端嵌合部１０３部において、上部筺体１０１は凸部が形成されており、下部筺体１０２には凹部が形成されている。この時、上部筺体１０１の凸部と下部筺体１０２には凹部は互いに嵌合し合うようになっている。上記嵌合の後、反対側をネジ３０でネジ止めすることにより上下筐体を固定する。これにより、送受信モジュールのケージに差し込む方向側である、先端側のネジ止めが不要となり、結果として筐体内部の部品収容スペースを確保することが可能となる。
【００１６】
しかしながら、公差により上部筺体１０１と下部筺体１０２の幅に差が生じており、上部筺体１０１の幅が下部筺体１０２の幅より大きい場合、先端嵌合部１０３より先端側では上部筺体側面１０１bが筺体側面より突出することとなる。この時、送受信モジュール１０をケージ２０１から抜き取ろうとすると送受信モジュール１０の側面方向への凸部２０２がこの突出部と接触することとなり、送受信モジュール１０をケージ２０１から抜き取ることが出来なくなる恐れがある。ここで、先端側において、先端嵌合部１０３は、送受信モジュール１０の上部筐体１０１と下部筐体１０２とを嵌め合わせた箇所をいう。
【００１７】
そこで、実施例１では、図５に示したように、先端嵌合部１０３より先端側では、上部筐体１０１の長手方向に垂直な上部筺体１０１の幅１２１が、下部筐体１０２の長手方向に垂直な下部筺体１０２の幅１２２より狭くなるように筺体を構成している。具体的には、筺体の製造寸法公差が0.05mmとした場合、先端嵌合部１０３より先端側では上部筺体１０１bの幅は0.1mm以上下部筺体１０２の幅より狭くなるにすることにより、確実に下部筺体１０２の幅より狭くなるようにすることで上述の突出部を無くし、送受信モジュール１０を、ケージ２０１から抜き取り時に送受信モジュール１０の側面方向への凸部２０２とケージ２０１とが接触して抜き取り難くなるのを回避できる構成となっている。
【００１８】
次に、図６を用いて実施例１における送受信モジュール１０の挿抜を説明する。送受信モジュール１０をケージ２０１から抜き取る際、プルタブ１２０を把持し、引張る（紙面右方向）ことにより前述のとおり嵌合（ラッチ）が解除され、送受信モジュール１０がケージ２０１より抜き取られる方向（紙面右方向）へ移動する。この時、送受信モジュール１０の側面方向への凸部２０２は送受信モジュール１０の筺体側面に接触しながら送受信モジュール１０が滑ることとなる。この送受信モジュール１０側面方向への凸部２０２が先端嵌合部１０３部を通過する際、前述の筺体構成により送受信モジュール１０の側面方向への凸部２０２は筺体に接触することなく先端嵌合部１０３を通過することが可能となり、最終的に送受信モジュール１０がケージ２０１より抜き取られる。
【００１９】
逆に、送受信モジュール１０をケージ２０１に挿入する際は、逆の手順となり、送受信モジュール１０の側面方向への凸部２０２から見ると先端嵌合部１０３部には段差（突出部）があるようになるが、送受信モジュール１０の側面方向への凸部２０２の形成方向を考えるとこの段差を容易に送受信モジュール１０の側面方向への凸部２０２は超えることができるため挿入には影響しない。
【００２０】
なお、実施例１では、上部筺体１０１と下部筺体１０２はその先端嵌合部１０３部において、上部筺体１０１は凸部が形成されており、下部筺体１０２には凹部が形成されている例を用いて説明を行ったが、これが逆になり上部筺体１０１は凹部が形成されており、下部筺体１０２には凸部が形成されている形態でも構わないが、その時は下部筺体１０２の幅が上部筺体１０１の幅より狭くなるように筺体を構成する必要があることは言うまでもない。これは以下の実施例でも同様である。
【００２１】
また、実施例１では、送受信モジュール先端側の上部筺体１０１bの領域のみ筺体幅を狭くしているがこれにこだわる必要はなく、上部筺体１０１と下部筺体１０２を嵌合させた時、突出部が形成されない形態であれば問題なく、例えば、上部筺体１０１の幅が、その全長に渡り下部筺体１０２の幅より小さくし、上部筺体１０１と下部筺体１０２が嵌め合うようにしても構わない。そうすることで上部筺体１０１と下部筺体１０２とをより強固に固定できる。
【００２２】
以上、実施例１の送受信モジュール構成によれば、プラガブルタイプの送受信モジュールをケージに抜き差しすることができなくなることを防止することができる。
【実施例２】
【００２３】
実施例２を、図７、図８を用いて説明する。図７は、実施例２における送受信モジュール１０の斜視図と、送受信モジュール１０の側面の一部を拡大した図であり、図８は、実施例２における送受信モジュール１０の上面図と、その一部拡大図である。実施例２は、実施例１の筺体側面形状を変更した構成である。実施例２では、図８に示すように、上部筺体側面１０１b部を、送受信モジュール１０の先端側に行くにつれて（ケージ２０１に送受信モジュール１０を差し込む方向に向かって）細くなるようなテーパー状としている。これにより実施例１と同様に、先端嵌合部１０３より先端側では上部筺体側面１０１bが筺体側面より突出することを防止している。
【００２４】
送受信モジュール１０をケージ２０１から抜き取る際、プルタブ１２０を把持し、引張る（紙面右方向）ことにより前述のとおり嵌合（ラッチ）が解除され、送受信モジュール１０がケージ２０１より抜き取られる方向（紙面右方向）へ移動する。この時、送受信モジュール１０の側面方向への凸部２０２は送受信モジュール１０の筺体側面に接触しながら送受信モジュール１０が滑ることとなる。この送受信モジュール１０の側面方向への凸部２０２が先端嵌合部１０３を通過した後も、送受信モジュール１０側面方向への凸部２０２は、テーパー部に接しながら送受信モジュール１０が移動することとなり、最終的に送受信モジュール１０がケージ２０１より抜き取られる。
【００２５】
逆に、送受信モジュール１０をケージ２０１に挿入する際は、逆の手順となるが、送受信モジュール１０の先端側がテーパー形状となっているため、ケージ２０１と接触しにくくなるため送受信モジュール１０の挿入が容易となる効果も期待できる。
【００２６】
また、実施例１、実施例２では、上下の筐体の幅が異なる場合で、一方のみで送受信モジュール１０の先端側を構成し、上下の筐体が嵌め合う例であったが、上下筐体が同じ幅で、両方で先端側を構成してもよく、その場合には、上下筐体とも、公差寸法を考慮して、ラッチ部１０１a、１０２aより先端側の筐体の幅を、ラッチ部１０１a、１０２aより後側の筐体の幅より、狭くする構成とすることで、送受信モジュールの抜き差しを容易にすることができる。
【符号の説明】
【００２７】
１０  送受信モジュール、  １０１  上部筺体、１０１a、１０２a  ラッチ部、１０１b  上部筺体狭窄部、１０２  下部筺体、１０３  先端嵌合部、１４０  伝送ケーブル、２０１  ケージ
【図１】
2019067713.tif 000003
【図２】
2019067713.tif 000004
【図３】
2019067713.tif 000005
【図４】
2019067713.tif 000006
【図５】
2019067713.tif 000007
【図６】
2019067713.tif 000008
【図７】
2019067713.tif 000009
【図８】
2019067713.tif 000010